(57)【要約】【課題】ブラケットの種類を増やすことなく、真壁の出隅部及び入隅部に手摺り棒を良好に設置できる手摺りブラケットを提供する。【解決手段】真壁Ｚの出隅部分Ｘの柱Ｐに取付可能な一端部を有する固定部材５と、前面部１ａを背面側に反転し得るように前記固定部材５の他端部に設けられ、且つ手摺り棒２０が取付けられるブラケット本体１と、を備え、前記固定部材５は、スペーサー３０を介して前記真壁Ｚの入隅部分Ｙの柱Ｑに取付可能に構成されている。【選択図】図１
2010070993.tif 000002
【特許請求の範囲】
【請求項１】
真壁の出隅部分の柱に取付可能な一端部を有する固定部材と、
前面部を背面側に反転し得るように前記固定部材の他端部に設けられ、且つ手摺り棒が取付けられるブラケット本体と、を備え、
前記固定部材は、スペーサーを介して前記真壁の入隅部分の柱に取付可能に構成されてなることを特徴とする手摺りブラケット。
【請求項２】
前記ブラケット本体は、一対の手摺り棒を交差させて取付けるべく略Ｌの字状に形成されてなる請求項１記載の手摺りブラケット。
【請求項３】
前記ブラケット本体の前面部を背面側に反転させるべく、該ブラケット本体が前記固定部材の他端部に着脱自在又は回動自在に設けられてなる請求項１又は２記載の手摺りブラケット。
【請求項４】
前記固定部材の一端部には、柱の角部に嵌合する取付面が形成されてなる請求項１乃至３の何れか一つに記載の手摺りブラケット。
【請求項５】
前記固定部材が、柱に取付可能な台座部と、該台座部の前面に設けられ、且つブラケット本体が取付けられるアーム部とを有する請求項１乃至４の何れか一つに記載の手摺りブラケット。
【請求項６】
前記固定部材にスペーサーが固定されてなる請求項１乃至５の何れか一つに記載の手摺りブラケット。
【発明の詳細な説明】
【技術分野】
【０００１】
本発明は、廊下や階段等の壁面に手摺り棒を設置するために用いられる手摺りブラケットに関する。
【背景技術】
【０００２】
従来、この種の手摺りブラケットとしては、例えば次のようなものが存在する。即ち、この従来のものは、壁面の隅部分に固定される断面Ｌの字状の支持部材と、該支持部材の前面に突設される支持棒と、該支持棒の先端に取付けられる平面Ｌの字状のブラケット本体とを備えたものである。
【０００３】
かかる手摺りブラケットは、その支持部材を壁面の隅部に固定して取付けられるものであり、壁面の隅部の種類に応じて取付けられるように、支持部材及びブラケット本体の形状が相違する出隅用ブラケットと入隅用ブラケットの２種類が用意されている（特許文献１参照）。
【０００４】
ところで、壁面の施工形態としては、一般的な大壁の他に所謂真壁と称されるものが存在する。これは、柱等の軸組が露出するように施工される壁面であり、室内の湿度調整機能及びメンテナンス性に優れている等の点から、近年その良さが見直されている。
【特許文献１】特開２０００−１７０３３９号公報
【発明の開示】
【発明が解決しようとする課題】
【０００５】
このような真壁に、上記従来の手摺りブラケットを使用して手摺り棒を設置する場合、出隅部分に配された柱に対しては、出隅用ブラケットを適用することができ、特に問題は生じない。
【０００６】
しかしながら、入隅部分に配された柱に対しては、その支持部材を柱に取付けることができない。一方、出隅用ブラケットは柱に取付けることはできるものの、ブラケット本体の向きが逆になるために、結局適用することができない。これに対して、入隅用ブラケットを新たに製作して対処することも可能ではあるが、ブラケットの種類が増えることは好ましくなく、適合しないブラケットを誤って使用してしまったり、在庫管理が厄介になるという不都合が生じる。
【０００７】
それ故に、本発明はかかる点に鑑みてなされたものであり、その目的とするところは、ブラケットの種類を増やすことなく、真壁の出隅部及び入隅部に手摺り棒を良好に設置できる手摺りブラケットを提供することにある。
【課題を解決するための手段】
【０００８】
本発明に係る手摺りブラケットは、真壁の出隅部分の柱に取付可能な一端部を有する固定部材と、前面部を背面側に反転し得るように前記固定部材の他端部に設けられ、且つ手摺り棒が取付けられるブラケット本体とを備え、前記固定部材は、スペーサーを介して前記真壁の入隅部分の柱に取付可能に構成されたものである。
【０００９】
これによると、例えば出隅部分及び入隅部分を有する真壁に手摺り棒を設置する場合は、出隅部分の柱に固定部材の一端部を固定すると共に、該固定部材の他端部に設けたブラケット本体に手摺り棒の一端部を取付ける。一方、入隅部分の柱には、スペーサーを介して固定部材の一端部を固定する。更に、前記手摺り棒の他端部が取付けられるようにブラケット本体の前面部を背面側に反転した後、該ブラケット本体に前記手摺り棒の他端部を取付ける。
【００１０】
即ち、出隅用手摺りブラケットを、そのブラケット本体の前面部を背面側に反転しただけの状態で、これを入隅部分に使用した場合、各ブラケット本体の中心軸が一致せず、出隅側のブラケット本体が中心軸の方が前方側にずれてしまう。しかるに、所定の厚みを備えたスペーサーを介して固定部材の一端部を入隅部分の柱に固定することにより、両者の中心軸のずれが解消される。これにより、手摺り棒を両ブラケット本体間に良好に取付けることが可能となり、真壁に沿って手摺り棒を設置することができる。このように、出隅及び入隅部分に於いて、手摺りブラケットを共用することが可能になるのである。尚、ここにいう「ブラケット本体の前面部」とは、真壁の柱に対面する背面部に対して反対側に位置するブラケット本体の部位を意味している。
【００１１】
また、前記ブラケット本体は、一対の手摺り棒を交差させて取付けるべく略Ｌの字状に形成してもよい。
【００１２】
これによると、ブラケット本体に取付けた一対の手摺り棒は、ブラケット本体を介して交差状態に取付けられることになる。これにより、真壁の出隅部分を形成する両側の壁面に手摺り棒を設置することができる。
【００１３】
更に、前記ブラケット本体の前面部を背面側に反転させるべく、該ブラケット本体を前記固定部材の他端部に着脱自在又は回動自在に設けることも可能である。
【００１４】
これによると、ブラケット本体を固定部材から取外し、或いはブラケット本体を固定部材に対して回動させれば、ブラケット本体の前面部を背面側に簡単に反転させることができる。
【００１５】
また、前記固定部材の一端部には、柱の角部に嵌合する取付面を形成しても構わない。
【００１６】
これによると、取付面を柱の角部に嵌合させた状態で、該柱に固定部材の一端部を取付ける。柱の角部に取付面を嵌合させることにより、固定部材を柱の所望位置に確実且つ強固に取付けることが可能になる。
【００１７】
更に、前記固定部材は、柱に取付可能な台座部と、該台座部の前面に設けられ、且つブラケット本体が取付けられるアーム部とを有するように構成してもよい。
【００１８】
これによると、台座部を設けてこれを柱に取付けることにより、固定部材の取付けが強固なものになる。また、アーム部にブラケット本体を取付けることにより、該ブラケット本体に取付けられる手摺り棒を真壁に対して所望の間隔を有して設置することができる。
【００１９】
また、前記固定部材にスペーサーが固定されていても構わない。
【００２０】
この場合は、スペーサーを介して固定部材を真壁の入隅部分の柱に取付ける。これによると、スペーサーの厚み分だけブラケット本体を前方側に配することができる。手摺り棒の取付けに際して、該手摺り棒の各端部が取付けられるブラケット本体の位置ずれを解消することが可能となる。
【発明の効果】
【００２１】
以上のように、本発明によれば、手摺りブラケットを真壁の出隅部分及び入隅部分に共用することが可能になると共に、真壁に手摺り棒を良好に設置することができる。
【発明を実施するための最良の形態】
【００２２】
以下、本発明に係る手摺りブラケットの一実施形態について、図面に基づいて説明する。
【００２３】
図１及び図２に示すように、金属からなるブラケット本体１は、その両端部に手摺り棒２０が挿着される円筒状部２を夫々有している。かかる円筒状部２に一対の手摺り棒２０を挿着すると、該手摺り棒２０が略直角に交差するように、ブラケット本体１は平面略Ｌの字状に形成されている。尚、本実施形態では、ブラケット本体１の外周面部側を前面部１ａとし、これに相対する内周面部側を背面部１ｂとしている。
【００２４】
ブラケット本体１の各円筒状部２の下面中央には、手摺り棒２０を固定するためのタッピングネジ２１が挿通される固定孔３が設けられている。また、ブラケット本体１の中央部には上下方向に貫通孔４が形成されている。この貫通孔４は、上部側に位置するネジ挿通孔４ａと、下部側に位置し、且つ該ネジ挿通孔４ａよりも大径のアーム部挿通孔４ｂとからなっている（図３参照）。尚、アーム部挿通孔４ｂの上部側は六角形状の角孔４ｃで構成されている。
【００２５】
固定部材５は、真壁の柱に固定するために一端部に設けられる台座部５ａと、該台座部５ａの前面に上向きに設けられる側面略Ｌの字状のアーム部５ｂとを備えている。このアーム部５ｂは前記ブラケット本体１のアーム部挿通孔４ｂに挿着されており、断面六角形状に形成されたアーム部５ｂの先端部５ｃが、アーム部挿通孔４ｂの角孔４ｃに嵌合する。また、アーム部５ｂの先端面には前記ブラケット本体１のネジ挿通孔４ａに挿通したネジ６が螺合されている。かかるネジ６を緩めて固定部材５からブラケット本体１を取外し、ブラケット本体１の前面部１ａが背面側にくるように１８０°反転させることが可能である。
【００２６】
固定部材５の台座部５ａは縦長形状からなり、その背面部には柱の角部に嵌合する平面略Ｌの字状の取付面７が形成されている。また、台座部５ａの前面上部側には、斜め下方向に傾斜する傾斜孔８が形成されている（図３参照）。更に、前面下部側には前後方向に取付孔９が貫通して形成されている。これら傾斜孔８及び取付孔９にはタッピングネジ２２、２３が挿通されて、該タッピングネジ２２、２３により台座部５ａが柱に固定されることになる。この場合に於いて、上部側の孔は傾斜孔８で構成されているので、ドライバー等の工具によりタッピングネジ２２を締め込む際に、工具と固定部材５のアーム部５ｂとの干渉を回避することができて、作業上とても有効である。尚、タッピングネジ２２、２３の頭部を隠蔽するために、台座部５ａの前面上部及び下部には夫々合成樹脂製のカバー体１０が着脱自在に外嵌されている。
【００２７】
真壁の出隅部分の柱に使用される手摺りブラケットＡは、以上のように構成されている。また、真壁の入隅部分の柱に使用される手摺りブラケットＢは、図２乃至図４に示すように、出隅用手摺りブラケットＡの台座部５ａの取付面７にスペーサー３０を取付けたものである。
【００２８】
即ち、スペーサー３０の前面は、前記台座部５ａの取付面７に嵌合するように形成されている。この状態で、スペーサー３０の下部側に設けた通孔３１にネジ３２を挿通し、これを台座部５ａのネジ部３３に螺合して固定される。また、スペーサー３０には、台座部５ａの傾斜孔８及び取付孔９に夫々連通する傾斜孔３４と、取付孔３５が設けられている。更に、背面部には柱の角部に嵌合する平面略Ｌの字状の取付面３６が形成されている。
【００２９】
次に、これらの各手摺りブラケットＡ、Ｂを使用して、図５に示すように、出隅部分Ｘ及び入隅部分Ｙとを有する真壁Ｚに手摺り棒２０を設置する場合について説明する。この場合、ブラケット本体１は固定部材５から取外しておく。真壁Ｚの出隅部分Ｘには、出隅用手摺りブラケットＡを使用する。先ず、手摺り棒２０を設置すべき位置を考慮しつつ、柱Ｐの所望の位置に手摺りブラケットＡを取付ける。即ち、前記固定部材５の台座部５ａに設けた取付面７を柱Ｐの角部に嵌合させた状態で、台座部５ａの傾斜孔８及び取付孔９にタッピングネジ２２、２３を夫々挿通し、これを柱Ｐの角部に締着する。この場合、柱Ｐに予め下孔を形成しておくのが望ましい。その後、台座部５ａの前面にカバー体１０を外嵌する。
【００３０】
更に、ブラケット本体１の各円筒状部２に丸棒状の手摺り棒２０の一端部を挿入した状態で、タッピングネジ２１をブラケット本体１の固定孔３を介して手摺り棒２０にねじ込んで固定する。その後、ブラケット本体１の前面部１ａが前方（柱Ｐの反対側）に位置するように、そのアーム部挿通孔４ｂに固定部材５のアーム部５ｂの先端部を挿着して、ネジ６により固定する。
【００３１】
次に、真壁Ｚの入隅部分Ｙの柱Ｑに手摺りブラケットを固定する場合について説明する。この場合、前記出隅用手摺りブラケットＡをその儘流用し、ブラケット本体１の前方部１ａを背面側に反転させた状態で、固定部材５の台座部５ａを柱Ｑの角部に固定することも可能である。しかしながら、この場合、図６に示すように出隅部分及び入隅部分に夫々取付けた各手摺りブラケットＡの円筒状部２の中心軸間にＬのずれが前後方向に生じてしまうために、これを直接使用することはできない。
【００３２】
従って、この場合は前記入隅用手摺りブラケットＢを使用する。図５に示すように、手摺りブラケットＢのスペーサー３０を入隅部分Ｙの柱Ｑの角部に、タッピングネジ２２、２３により固定する。固定部材５のアーム部５ｂからブラケット本体１を取外し、その背面部１ｂが前面側に配置されるように、再度アーム部５ｂに挿着してネジ６により固定する。これによると、スペーサー３０の厚み分だけブラケット本体１が前方側に配されるので、各ブラケット本体１の円筒状部２の中心軸が略一致するようになる。その結果、出隅用手摺りブラケットＡと入隅用手摺りブラケットＢ間に手摺り棒２０を良好に取付けることができる。
【００３３】
このように、簡易な構成からなるスペーサー３０を加えるだけで、出隅用手摺りブラケットＡを入隅用手摺りブラケットＢとして共用することが可能になる。これにより、手摺りブラケット自体の種類は一種類で済むことになるために、誤使用という事態が発生することはなくなり、在庫管理の簡略化が図れることになる。
【００３４】
また、本実施形態に係る手摺りブラケットＡ、Ｂは全体の構成が非常に簡易であるために、その製作も安価で且つ容易に行えるという実用的な利点もある。
【００３５】
尚、上記実施形態に於いては、一対の手摺り棒２０が交差させて取付けられるように、ブラケット本体１を略Ｌの字状に形成している。しかるに、一本の手摺り棒２０の取付けだけでよい場合は、ブラケット本体１は例えば略Ｉの字状に形成すればよい。即ち、該ブラケット本体１は使用態様に応じて任意な変更が可能であり、具体的な形状は問うものではない。
【００３６】
また、上記実施形態にあっては、ブラケット本体１の前面部１ａを背面側に反転させるために、該ブラケット本体１を固定部材５の他端部（アーム部５ｂの先端部）に着脱自在に設けたが、必ずしもこのように構成する必要はない。例えば、ブラケット本体１を固定部材５の他端部に回動自在に設けてもよい。この場合は、必要に応じてブラケット本体１を固定部材５に対して回動させて、その前面部１ａを背面側に反転させる。
【００３７】
また、上記実施形態では、固定部材５を柱Ｐに取付可能な台座部５ａと、ブラケット本体１が取付けられるアーム部５ｂとで構成しているが、固定部材５の具体的な構成はこれに限定されるものではない。
【００３８】
更に、入隅用手摺りブラケットＢは、出隅用ブラケットＡに予めスペーサー３０を固定して製作しておいてもよい。これによると、現場での作業が簡略化されて、効率良く一連の作業が行えることになる。但し、スペーサー３０の固定は現場で行っても構わない。
【００３９】
その他、スペーサー３０の形状等の具体的な構成も、本発明の意図する範囲内に於いて任意に設計変更自在である。
【産業上の利用可能性】
【００４０】
以上のように、本発明は、廊下や階段等の壁面、特に真壁に手摺り棒を取付ける手摺りブラケットについて有用である。
【図面の簡単な説明】
【００４１】
【図１】出隅用手摺りブラケットの一実施形態に係る平面図である。
【図２】同側面図である。
【図３】入隅用手摺りブラケットの一実施形態に係る断面図である。
【図４】同平面図である。
【図５】手摺りブラケットの施工状態を示す平面図である。
【図６】同平面図である。
【符号の説明】
【００４２】
１            ブラケット本体
１ａ            前面部
５            固定部材
５ａ            台座部
５ｂ            アーム部
７            取付面
２０            手摺り棒
３０            スペーサー
Ａ            出隅用手摺りブラケット
Ｂ            入隅用手摺りブラケット
Ｘ            出隅部分
Ｙ            入隅部分
Ｚ            真壁
Ｐ、Ｑ            柱
【図１】
2010070993.tif 000003
【図２】
2010070993.tif 000004
【図３】
2010070993.tif 000005
【図４】
2010070993.tif 000006
【図５】
2010070993.tif 000007
【図６】
2010070993.tif 000008